(57)【特許請求の範囲】
【請求項１】
第１の電源と、
前記第１の電源と接続された通常動作時に供給が必要となるマイコン電源配線と、
前記第１のマイコン電源配線とマイコンチップ内部で抵抗を介して接続され、デバッグ時にはデバッガ電源と接続されるデバッグ時に供給が必要となるデバッガ電源配線とを備えることを特徴とする半導体装置。
【発明の詳細な説明】
【０００１】
【発明の属する技術分野】
本発明は、別々の電源を必要とするマイコン・デバッグ機能付き半導体装置に関する。
【０００２】
【従来の技術】
従来、デバッグ機能が付いたマイコンには、図２に示すようにマイコンチップ２００を動作させる為のマイコン電源用端子２０１と、デバッグ時にマイコンチップ内に配置された専用パッドを動作させる為のデバッガ電源用パッド２０２がある。またデバッグを行わない時には、デバッガ電源用パッド２０２を含む全てのデバッグ専用パッドがチップ外部と接続されない為、デバッグ専用パッドに電源を供給する為のデバッガ電源用端子２０３が必要であった。
【０００３】
マイコンチップのデバッグを行う場合の構成を図２に示す。マイコンチップ２００にはマイコン電源２０４からマイコン電源端子２０１を介してマイコンに電源が供給されると同時に、デバッグ用電源２０６からデバッガ電源用パッド２０２を介してデバッグ専用パッドに電源が供給される。
【０００４】
マイコンが通常の動作をする場合の構成を図３に示す。マイコンチップ３００にはマイコン電源３０４からマイコン電源端子３０１を介してマイコンに電源が供給される。この時、デバッグ専用パッドに電源を供給するデバッガ電源用パッドは外部と接続されない為、マイコン電源３０４からデバッガ電源用端子３０３を介してデバッグ専用パッドに電源が供給される。
【０００５】
【発明が解決しようとする課題】
上記従来の構成では次の課題がある。従来構成を示す図２、および図３の構成は、それぞれ、デバッガ２０６をマイコンチップ２００と接続して前記マイコンチップの動作内容を直接デバッガ側よりプログラムを行って動作を確認する場合の構成と、デバッガをマイコンチップから切り離し、プログラムされた動作内容に従って前記マイコンチップが単独で動作する場合の構成と、を示す。デバッガによりマイコンチップにプログラムした動作内容を確認する場合、図２に示す様に、デバッガ２０６をマイコンチップ２００と接続するが、この時、マイコンチップには、専用の電源をデバッグ電源パッド２０２を介してデバッガから直接供給する必要がある。また、これとは独立してマイコンチップそのものに対しても電源を供給する必要があり、マイコン電源用端子２０２を介してマイコン電源２０４から電源が供給される。即ち、デバッガから供給される電源と、マイコン電源から供給される電源とが独立に存在しており、デバッガを切り離して、単独でマイコンチップを動作させる場合には、別に設けられたデバッガ電源端子を介して、マイコン電源から電源を供給する必要がある。この様に電源を分離している目的は、デバッガに投入される電源電圧が、必ずしもマイコンに投入される電源電圧と同じである保証がない為、デバッガをマイコンに接続している場合、マイコンの電源とデバッガの電源が分離されていないとそこに電位差が生じ、何れか電圧の低い電源に電流が流れ込む事によって電源そのものを破壊してしまう事を防ぐ事にある。しかしながら、電源を完全に分離するには、先述の通り、デバッガを切り離して、単独でマイコンチップを動作させる為に、専用の端子から電源を供給する必要があり、端子数が少ないマイコン、例えば、電源端子として２端子しか割り当てる事が出来ないマイコンでは、マイコン電源とＧＮＤに１端子ずつ割り当てるだけで、デバッグ電源として端子を割り当てる事が不可能となる。または、数少ない端子の内、電源に３端子を割当てた場合には、マイコンが必要とする一部の入出力機能を端子に割り当てる事が出来ない。
【０００６】
本発明は、上記従来の問題点を解決するもので、電源を破壊することなく電源用端子を１端子にする方法を提供することを目的とする。
【０００７】
【課題を解決するための手段】
上記課題を解決するために、本発明の請求項１に記載の電源保護回路内臓型デバッグ機能付きマイコンは、マイコン電源から前記マイコンに電源を供給するマイコン電源用端子と、
デバッガ電源から前記マイコン内部のデバッグ専用パッドに電源を供給するデバッガ電源用パッドと、
前記マイコン電源端子とデバッガ電源パッドから前記マイコン内部において配線された電源間を接続する保護抵抗を備えるものである。
【０００８】
【発明の実施の形態】
本発明の実施の形態について、以下、図を用いて説明する。
【０００９】
（実施の形態１）
図１は本発明の実施の形態１に係わる電源保護回路内臓型デバッグ機能付きマイコンの構成図である。各機能について説明する。
【００１０】
マイコン１００はマイコン電源用端子１０１およびデバッガ電源用パッド１０２を有し、各電源間は抵抗１０３を介して接続される。
【００１１】
マイコンのデバッグは、図１（ａ）の構成によって実施される。マイコン１００はマイコン電源１０４から電源配線１０５、マイコン電源端子１０１を介してマイコン内部に電源が供給される。またデバッガ電源１０６からは、デバッガ電源配線１０７、デバッガ電源用パッド１０２を介してマイコン内部のデバッグ専用パッドに電源が供給される。この時、マイコン電源１０４から供給される電源の電圧と、デバッガ電源１０６から供給される電源の電圧とが異なる場合には、電源間に電位差が生じるが、電源間を繋ぐ電源保護抵抗１０３によって、電圧降下が起こり、電源間を流れる電流が抑制され低い電圧で供給する電源を破壊することはない。
【００１２】
マイコンが通常の動作を行う場合には、図１（ｂ）の構成となる。デバッガ電源１０６およびデバッガ電源配線１０７がマイコン１００から切り離され、電源はマイコン電源１０４のみから供給される。マイコン内部においてデバッグ専用パッドへの電源供給は、マイコン電源用端子１０１から電源保護抵抗１０３を介して実施される。
【００１３】
【発明の効果】
マイコン電源端子とデバッガ電源端子を共有化させ、マイコン内部において保護抵抗によって各電源を接続することにより、マイコンのデバッグ時における２電源供給時にも、前記保護抵抗によって各電源間の電位差による電源破壊を防止する。マイコンが通常の動作を行う場合においては、前記保護抵抗を介してマイコン電源端子からデバッグ専用パッドへ電源を供給することが可能になり、電源端子としてマイコンに１端子を割り当てるだけでよい為、少数端子仕様のマイコン設計に適している。
【図面の簡単な説明】
【図１】  （ａ）本発明の実施の形態１に係わるマイコン・デバッグ時の構成図
（ｂ）本発明の実施の形態１に係わるマイコン・通常動作時の構成図
【図２】  従来例におけるマイコン・デバッグ時の構成図
【図３】  従来例におけるマイコン・通常動作時の構成図
【符号の説明】
１００        マイコン本体
１０１        マイコン電源端子
１０２        デバッガ電源用パッド
１０３        電源保護抵抗
１０４        マイコン電源
１０５        マイコン電源配線
１０６        デバッガ本体およびデバッガ電源
１０７        デバッガ電源配線
１０８        グランド
２００        マイコン本体
２０１        マイコン電源端子
２０２        デバッガ電源用パッド
２０３        デバッガ電源端子
２０４        マイコン電源
２０５        マイコン電源配線
２０６        デバッガ本体およびデバッガ電源
２０７        デバッガ電源配線２
２０８        グランド
３００        マイコン本体
３０１        マイコン電源端子
３０２        デバッガ電源用パッド
３０３        デバッガ電源端子
３０４        マイコン電源
３０５        マイコン電源配線
３０６        デバッガ電源配線１
３０７        グランド
【図１】
0004195956.tif 000002
【図２】
0004195956.tif 000003
【図３】
0004195956.tif 000004